(57)【特許請求の範囲】
【請求項１】
酸素を用いて燃料を燃焼させる酸素燃焼ボイラと、
該酸素燃焼ボイラからの排ガスを原料ガスとして金属酸化物と反応させ、該金属酸化物の酸化反応により一酸化炭素及び水素を含む合成ガスを生成する酸化装置と、
該酸化装置で生成された合成ガスを金属酸化物から分離する分離装置と、
該分離装置で合成ガスが分離された金属酸化物を熱分解して再生させ、該金属酸化物の再生反応により酸素を生成する流動層再生装置と、
該流動層再生装置で再生された金属酸化物を前記酸化装置へ送給する管路と
を備え、
前記酸素燃焼ボイラの燃焼熱により前記流動層再生装置の金属酸化物を熱分解すると共に、前記流動層再生装置で生成した酸素を酸素燃焼ボイラに再循環させるよう構成し、
前記酸素燃焼ボイラは微粉炭焚酸素燃焼ボイラであって、該微粉炭焚酸素燃焼ボイラの火炉の内部に前記流動層再生装置を設置したことを特徴とする酸素燃焼ボイラ設備。
【請求項２】
酸素を用いて燃料を燃焼させる酸素燃焼ボイラと、
該酸素燃焼ボイラからの排ガスを原料ガスとして金属酸化物と反応させ、該金属酸化物の酸化反応により一酸化炭素及び水素を含む合成ガスを生成する酸化装置と、
該酸化装置で生成された合成ガスを金属酸化物から分離する分離装置と、
該分離装置で合成ガスが分離された金属酸化物を熱分解して再生させ、該金属酸化物の再生反応により酸素を生成する流動層再生装置と、
該流動層再生装置で再生された金属酸化物を前記酸化装置へ送給する管路と
を備え、
前記酸素燃焼ボイラの燃焼熱により前記流動層再生装置の金属酸化物を熱分解すると共に、前記流動層再生装置で生成した酸素を酸素燃焼ボイラに再循環させるよう構成し、
前記酸素燃焼ボイラは循環流動層酸素燃焼ボイラであって、該循環流動層酸素燃焼ボイラの流動層燃焼炉の内部に前記流動層再生装置を設置したことを特徴とする酸素燃焼ボイラ設備。
【請求項３】
前記酸化装置で生成された合成ガスにより水を加熱して水蒸気を発生させる熱交換器を備え、該熱交換器で発生させた水蒸気を前記酸化装置へ供給するよう構成した請求項１又は２記載の酸素燃焼ボイラ設備。
【発明の詳細な説明】
【技術分野】
【０００１】
本発明は、酸素燃焼ボイラ設備に関するものである。
【背景技術】
【０００２】
近年の石油及び天然ガスの需要の増大に伴う価格高騰等の情勢から、微粉炭焚ボイラを用いた石炭火力発電プラントが重要な役割を占めるようになってきている。従来の微粉炭焚ボイラには、空気を燃焼用ガスとした空気燃焼ボイラが一般に使用されてきた。
【０００３】
石炭燃焼それ自体には、石油・天然ガス燃焼と比較して二酸化炭素（ＣＯ２）排出量が多いという問題点があるため、石炭火力への依存比率の上昇に伴うＣＯ２排出量増大は、地球温暖化防止の観点から、回避しなければならない重要な課題である。
【０００４】
又、空気燃焼ボイラでは、排ガス中に多量の窒素が含まれることになるため、排ガスから窒素及びＣＯ２を分離回収する作業が面倒になるという問題がある。
【０００５】
そこで、大気中へのＣＯ２排出量を大幅に削減できる手法として、酸素燃焼ボイラが注目され、その開発が進められている。
【０００６】
前記酸素燃焼ボイラでは、排出される排ガスの大半を煙道の中途から抜き出し、この抜き出した排ガスと酸素製造装置で製造した酸素とを混合して酸素濃度を調整した燃焼用ガスを生成し、該燃焼用ガスを前記酸素燃焼ボイラに供給するようにした排ガス再循環方式が採用されている。この排ガス再循環方式の酸素燃焼ボイラによれば、排ガス中に窒素が含まれず、排出される最終的な排ガスのＣＯ２濃度が飛躍的に高まり、よって、排ガスからのＣＯ２の分離回収作業が容易になる。
【０００７】
このため、前記酸素燃焼ボイラにおいては、排ガスからＣＯ２を濃縮する必要がなく、そのまま排ガスを冷却して脱水することでＣＯ２を分離することができる。このＣＯ２は、圧縮されて液化処理され、パイプラインを通して輸送され地下に貯留されるようになっている。
【０００８】
尚、前述の酸素燃焼ボイラに使用される高純度の酸素を大規模に生産する方法の一般的技術水準を示すものとしては、例えば、特許文献１がある。
【先行技術文献】
【特許文献】
【０００９】
【特許文献１】特開平１０−２１８６０３号公報
【発明の概要】
【発明が解決しようとする課題】
【００１０】
しかしながら、前記酸素製造装置での酸素製造工程は、酸素燃焼ボイラ設備においてエネルギー消費が最も高くなる工程であって、火力発電プラント総出力のうちおよそ１５％の電力が消費され、効率の面で改善が望まれていた。
【００１１】
又、従来の酸素燃焼ボイラ設備の場合、排ガス処理施設の建設に多大な投資が必要になると共に、その運転費の増加も問題となっていた。
【００１２】
本発明は、上記従来の問題点に鑑みてなしたもので、酸素燃焼による排ガスを直接利用して酸素と合成ガスを生成し、効率を改善し得る酸素燃焼ボイラ設備を提供しようとするものである。
【課題を解決するための手段】
【００１３】
本発明は、酸素を用いて燃料を燃焼させる酸素燃焼ボイラと、
該酸素燃焼ボイラからの排ガスを原料ガスとして金属酸化物と反応させ、該金属酸化物の酸化反応により一酸化炭素及び水素を含む合成ガスを生成する酸化装置と、
該酸化装置で生成された合成ガスを金属酸化物から分離する分離装置と、
該分離装置で合成ガスが分離された金属酸化物を熱分解して再生させ、該金属酸化物の再生反応により酸素を生成する流動層再生装置と、
該流動層再生装置で再生された金属酸化物を前記酸化装置へ送給する管路と
を備え、
前記酸素燃焼ボイラの燃焼熱により前記流動層再生装置の金属酸化物を熱分解すると共に、前記流動層再生装置で生成した酸素を酸素燃焼ボイラに再循環させるよう構成し、
前記酸素燃焼ボイラは微粉炭焚酸素燃焼ボイラであって、該微粉炭焚酸素燃焼ボイラの火炉の内部に前記流動層再生装置を設置したことを特徴とする酸素燃焼ボイラ設備にかかるものである。
又、本発明は、酸素を用いて燃料を燃焼させる酸素燃焼ボイラと、
該酸素燃焼ボイラからの排ガスを原料ガスとして金属酸化物と反応させ、該金属酸化物の酸化反応により一酸化炭素及び水素を含む合成ガスを生成する酸化装置と、
該酸化装置で生成された合成ガスを金属酸化物から分離する分離装置と、
該分離装置で合成ガスが分離された金属酸化物を熱分解して再生させ、該金属酸化物の再生反応により酸素を生成する流動層再生装置と、
該流動層再生装置で再生された金属酸化物を前記酸化装置へ送給する管路と
を備え、
前記酸素燃焼ボイラの燃焼熱により前記流動層再生装置の金属酸化物を熱分解すると共に、前記流動層再生装置で生成した酸素を酸素燃焼ボイラに再循環させるよう構成し、
前記酸素燃焼ボイラは循環流動層酸素燃焼ボイラであって、該循環流動層酸素燃焼ボイラの流動層燃焼炉の内部に前記流動層再生装置を設置したことを特徴とする酸素燃焼ボイラ設備にかかるものである。
【００１４】
前記酸素燃焼ボイラ設備においては、前記酸化装置で生成された合成ガスにより水を加熱して水蒸気を発生させる熱交換器を備え、該熱交換器で発生させた水蒸気を前記酸化装置へ供給するよう構成することが好ましい。
【発明の効果】
【００１７】
本発明の酸素燃焼ボイラ設備によれば、酸素燃焼による排ガスを直接利用して酸素と合成ガスを生成し、効率を改善し得るという優れた効果を奏し得る。
【図面の簡単な説明】
【００１８】
【図１】本発明の酸素燃焼ボイラ設備の実施例を示す全体概要構成図である。
【図２】本発明の酸素燃焼ボイラ設備の実施例において、微粉炭焚酸素燃焼ボイラの火炉の内部に流動層再生装置を設置した例を示す図である。
【図３】本発明の酸素燃焼ボイラ設備の実施例において、循環流動層酸素燃焼ボイラの流動層燃焼炉の内部に流動層再生装置を設置した例を示す図である。
【発明を実施するための形態】
【００１９】
以下、本発明の実施の形態を添付図面を参照して説明する。
【００２０】
図１は本発明の酸素燃焼ボイラ設備の実施例である。
【００２１】
本実施例における酸素燃焼ボイラ設備は、酸素燃焼ボイラ１と、酸化装置２と、分離装置３と、流動層再生装置４と、管路５とを備えている。
【００２２】
前記酸素燃焼ボイラ１は、酸素を用いて燃料を燃焼させるようになっている。
【００２３】
前記酸化装置２は、前記酸素燃焼ボイラ１からの排ガスを原料ガスとして金属酸化物と反応させ、該金属酸化物の酸化反応により一酸化炭素及び水素を含む合成ガスを生成するようになっている。尚、前記酸化装置２は、前記排ガスを原料ガスとし且つ金属酸化物の流動用ガスとしても利用するよう底部から導入し、金属酸化物を流動化させつつ吹き上げて酸化反応させるライザーとなっている。又、前記酸化装置２の下部には、金属酸化物を補充する金属酸化物補充管２ａと、水蒸気を供給する水蒸気供給管２ｂとが接続されている。
【００２４】
前記分離装置３は、酸化装置２から合成ガスを含む金属酸化物が移送管６を介して導入され、酸化装置２で生成された合成ガスを金属酸化物から分離するようになっている。本実施例の場合、前記分離装置３は、金属酸化物を遠心分離するサイクロンとしてある。前記分離装置３で前記金属酸化物から分離された合成ガスは、合成ガスライン７に抜き出され、熱交換器８で水に熱を与えて温度低下した状態で下流側へ送給されるようになっている。前記熱交換器８で発生させた水蒸気は、前記水蒸気供給管２ｂから前記酸化装置２へ補充するようになっている。前記分離装置３の底部にはシールチューブ９を接続し、該シールチューブ９により金属酸化物を流動層再生装置４へ供給するようにしてある。
【００２５】
前記流動層再生装置４は、前記分離装置３で合成ガスが分離された金属酸化物を熱分解して還元することにより再生させ、該金属酸化物の再生反応により酸素を生成するようになっている。そして、前記流動層再生装置４は、前記酸素燃焼ボイラ１の燃焼熱により金属酸化物を熱分解するよう、酸素燃焼ボイラ１の火炉１ａの内部に設置されている。又、前記流動層再生装置４の上部には、金属酸化物を補充する金属酸化物補充管４ａが接続され、前記流動層再生装置４の底部には、風箱４ｗが形成されている。
【００２６】
前記管路５は、前記流動層再生装置４で再生された金属酸化物を前記酸化装置２へ送給するよう傾斜配置されている。
【００２７】
前記酸素燃焼ボイラ１から排出される排ガスは、第二過熱器１１、第一過熱器１０、節炭器１３、予熱器１４、排ガス脱塵装置１５を通過し、更に予熱器１４を再度通過して、再循環ライン１６により酸素燃焼ボイラ１に供給されるようになっている。前記流動層再生装置４で生成された酸素は、酸素導出ライン１７から抜き出されて第三過熱器１２を通過し、酸素脱塵装置１８で脱塵され、前記排ガス脱塵装置１５で脱塵された後の排ガスと混合され、該排ガスと一緒に予熱器１４で予熱され、再循環ライン１６により酸素燃焼ボイラ１に供給されるようになっている。又、前記排ガス脱塵装置１５で脱塵された後の排ガスの一部は、原料ガスライン１９により酸化装置２の底部に金属酸化物の酸化反応用の原料ガスを兼ねる流動用ガスとして導入されると共に、流動層用ガスライン２０により流動層再生装置４の底部の風箱４ｗに金属酸化物の流動層用ガスとして導入されるようになっている。
【００２８】
前記酸素燃焼ボイラ１からの排ガスを原料ガスとして金属酸化物と反応させる際の主要な反応は以下の通りである。前記酸化装置２において、下記の式（１）〜式（３）の反応が同時に進むようになっており、又、流動層再生装置４において、下記の式（４）の反応が進むようになっている。
金属酸化物の酸化反応：
ＭｅｘＯｙ−δ＋δＣＯ２→ＭｅｘＯｙ＋δＣＯ (放熱)…（１）
ＭｅｘＯｙ−δ＋δＨ２Ｏ→ＭｅｘＯｙ＋δＨ２ (放熱)…（２）
ＭｅｘＯｙ−δ＋δ／２Ｏ２→ＭｅｘＯｙ(放熱)…（３）
金属酸化物の再生（熱分解）反応：
ＭｅｘＯｙ→ＭｅｘＯｙ−δ＋δ／２Ｏ２ (収熱)…（４）
【００２９】
使用できる金属酸化物は、例えば、Ｍｎ、Ｃｏ、Ｃｕ、Ｎｉ、Ｐｔ、Ａｕ、Ｓｎ、Ｃｅ、Ｚｎ、Ｚｒ、Ｒｈ、Ｍｇ、Ｆｅ等の酸化物である。この中で、特に、ＳｎＯ２／ＳｎＯ、ＺｎＯ／Ｚｎ、Ｆｅ３Ｏ４／ＦｅＯ、ＮｉｘＦｅ３−ｘＯ４／ＮｉｘＦｅ３−ｘＯ４−ｙ、ＭｇＯ／Ｍｇ、ＣｅＯ２／ＣｅＯ２−ｘといった金属酸化物が好ましい。尚、上記の式（１）〜式（３）の反応と、上記の式（４）の反応をなし得るならば、他の金属酸化物でも良い。
【００３０】
反応温度は金属酸化物の種類によって異なるが、酸化装置２での運転温度はおよそ２００〜１０００℃、流動層再生装置４での運転温度はおよそ１０００〜２４００℃である。式（４）の反応に必要な熱量は、式（１）〜（３）による放熱量と、酸素燃焼ボイラ１の燃焼熱によって賄われるようにしてある。
【００３１】
尚、図１には、再循環される排ガスと流動層再生装置４で生成された酸素とによって燃料を燃焼させるバーナ１ｂを備えた酸素燃焼ボイラ１を示している。
【００３２】
次に、上記実施例の作用を説明する。
【００３３】
酸素燃焼ボイラ設備の運転時、燃料を燃焼させることによって酸素燃焼ボイラ１から排出される排ガスは、第二過熱器１１、第一過熱器１０、節炭器１３、予熱器１４を通過し、排ガス脱塵装置１５で煤塵が取り除かれる。該排ガス脱塵装置１５で煤塵が取り除かれた排ガスは、前記予熱器１４を再度通過し、再循環ライン１６により酸素燃焼ボイラ１（図１の例ではバーナ１ｂ）に供給される。前記排ガス脱塵装置１５で脱塵された後の排ガスの一部は、原料ガスライン１９により酸化装置２の底部に金属酸化物の酸化反応用の原料ガスを兼ねる流動用ガスとして導入される。
【００３４】
前記酸化装置２においては、前記酸素燃焼ボイラ１から原料ガスライン１９により導入される排ガスが流動用ガスとして金属酸化物を流動化させつつ吹き上げると共に原料ガスとして金属酸化物と反応し、該金属酸化物の酸化反応（式（１）〜式（３）の反応）により一酸化炭素及び水素を含む合成ガスが生成される。前記酸化装置２から合成ガスを含む金属酸化物が移送管６を介して分離装置３へ導入され、該分離装置３により合成ガスは金属酸化物から分離され、熱交換器８において水と熱交換し、該水に熱を与えて温度低下した状態で下流側へ送給される。
【００３５】
前記酸化装置２で酸化反応した金属酸化物は、前記分離装置３により合成ガスが分離された後、シールチューブ９を通って流動層再生装置４へ送られる。該流動層再生装置４の底部の風箱４ｗには、前記排ガス脱塵装置１５で脱塵された後の排ガスの一部が流動層用ガスライン２０により金属酸化物の流動層用ガスとして導入されている。これにより、前記流動層再生装置４の内部において前記金属酸化物の流動層が形成され、該金属酸化物は熱分解されて再生され、該金属酸化物の再生反応（式（４）の反応）により酸素が生成される。そして、前記流動層再生装置４で生成された酸素は、酸素導出ライン１７から抜き出されて第三過熱器１２を通過し、酸素脱塵装置１８で脱塵される。該酸素脱塵装置１８で脱塵された酸素は、前記排ガス脱塵装置１５で脱塵された後の排ガスと混合され、該排ガスと一緒に予熱器１４で予熱され、再循環ライン１６により酸素燃焼ボイラ１（図１の例ではバーナ１ｂ）に供給される。尚、前記シールチューブ９には分離装置３で分離された金属酸化物が充填されているため、前記流動層再生装置４で生成された酸素が分離装置３側へ漏出する心配はない。
【００３６】
前記流動層再生装置４で再生された金属酸化物は、管路５により前記酸化装置２へ送給され、前記酸化装置２と流動層再生装置４との間で金属酸化物は循環され、該金属酸化物の酸化反応と再生反応が繰り返される。
【００３７】
又、前記酸化装置２には、熱交換器８で発生させた水蒸気が水蒸気供給管２ｂから供給されるため、式（２）の反応が促進され、結果的に式（４）の反応によって生成される酸素の量を増加させることが可能となる。即ち、流動層再生装置４から酸素導出ライン１７と再循環ライン１６を経て酸素燃焼ボイラ１へ導かれる酸素だけで該酸素燃焼ボイラ１における燃料の燃焼を行える。
【００３８】
この結果、酸素燃焼ボイラ設備においてエネルギー消費が最も高くなる酸素製造装置で製造される酸素に依存しなくて済み、流動層再生装置４で生成された酸素が酸素燃焼ボイラ１における燃料の燃焼用として使えるようになるため、酸素製造装置の酸素製造工程で消費されるエネルギーを削減し、効率の改善を図ることが可能となる。
【００３９】
又、酸素燃焼ボイラ１から排出される排ガスは酸化装置２及び流動層再生装置４で処理されるため、従来の酸素燃焼ボイラ設備と比べ、排ガス処理施設が不要となり、その建設に多大な投資が必要とならず、運転費の増加も避けられる。
【００４０】
一方、前記酸化装置２において生成される合成ガスは、メタノール、ジメチルエーテル及びフィッシャー・トロプシュ合成油といった様々な化学品の原料として用いることが可能となる。尚、前記酸化装置２において生成された合成ガスは、燃料としても利用できることは言うまでもない。又、空気燃焼ボイラに対し仮に本実施例のような酸化装置２及び流動層再生装置４を設けた場合、空気燃焼では排ガスにＮ２が含まれているため、合成ガスからＮ２を除去する工程が必要となり、合成ガスをそのまま化学品の原料として用いることは困難となる。このため、空気燃焼ボイラでは、本実施例の酸素燃焼ボイラ１に適用したような効果は得られない。
【００４１】
因みに、特許文献１に開示されている酸素製造方法では、原料ガスは空気であり、本実施例のように酸素燃焼による排ガスを直接利用して酸素と合成ガスを生成するものとは根本的に異なっている。
【００４２】
こうして、酸素燃焼による排ガスを直接利用して酸素と合成ガスを生成し、効率を改善し得る。
【００４３】
又、前記酸化装置２で生成された合成ガスにより水を加熱して水蒸気を発生させる熱交換器８を備え、該熱交換器８で発生させた水蒸気を前記酸化装置２へ供給するよう構成したことにより、式（２）の反応を促進し、結果的に式（４）の反応によって生成される酸素の量を増加させ、酸素製造装置を設置せずに、流動層再生装置４から酸素燃焼ボイラ１へ導かれる酸素だけで該酸素燃焼ボイラ１における燃料の燃焼を行うことができる。
【００４４】
図２には、本発明の酸素燃焼ボイラ設備の実施例において、酸素燃焼ボイラ１を微粉炭焚酸素燃焼ボイラ１Ａとし、該微粉炭焚酸素燃焼ボイラ１Ａの火炉１Ａａの内部に流動層再生装置４を設置した例を示している。図中、図１と同一の符号を付した部分は同一物を表わしている。尚、図２には、図１に示す酸化装置２と分離装置３の図示をあえて省略してある。
【００４５】
図２に示す微粉炭焚酸素燃焼ボイラ１Ａの場合、バーナ１Ａｂで燃料を燃焼させることによって火炉１Ａａ内に発生する排ガスは、第二過熱器１１、第一過熱器１０、節炭器１３、予熱器１４を通過し、排ガス脱塵装置１５で煤塵が取り除かれる。該排ガス脱塵装置１５で煤塵が取り除かれた排ガスは、前記予熱器１４を再度通過し、再循環ライン１６によりバーナ１Ａｂに供給される。前記排ガス脱塵装置１５で脱塵された後の排ガスの一部は、原料ガスライン１９により酸化装置２（図１参照）の底部に金属酸化物の酸化反応用の原料ガスを兼ねる流動用ガスとして導入されると共に、流動層用ガスライン２０により流動層再生装置４の底部の風箱４ｗ（図１参照）に金属酸化物の流動層用ガスとして導入される。
【００４６】
前記流動層再生装置４で生成された酸素は、酸素導出ライン１７から抜き出されて第三過熱器１２を通過し、酸素脱塵装置１８で脱塵される。該酸素脱塵装置１８で脱塵された酸素は、前記排ガス脱塵装置１５で脱塵された後の排ガスと混合され、該排ガスと一緒に予熱器１４で予熱され、再循環ライン１６によりバーナ１Ａｂに供給される。
【００４７】
一方、火炉１Ａａの炉壁として形成された水管１Ａｃの内部を流通する水は、燃料の燃焼熱によって加熱され、汽水分離ドラム１Ａｄで水蒸気が分離される。該汽水分離ドラム１Ａｄで分離された水蒸気は、蒸気ライン１Ａｅを流れて第三過熱器１２、第一過熱器１０、第二過熱器１１で過熱され、高温の過熱蒸気となり、発電や熱供給用として利用される。
【００４８】
図２に示す例のように構成すると、酸素燃焼ボイラ１として既設の微粉炭焚酸素燃焼ボイラ１Ａを用いた改造のみで酸素燃焼ボイラ設備を構築することができ、該酸素燃焼ボイラ設備は、酸素燃焼による排ガスを直接利用して酸素と合成ガスを生成し、効率を改善し得るものとなり、非常に有効となる。
【００４９】
図３には、本発明の酸素燃焼ボイラ設備の実施例において、酸素燃焼ボイラ１を循環流動層酸素燃焼ボイラ１Ｂとし、該循環流動層酸素燃焼ボイラ１Ｂの流動層燃焼炉１Ｂａの内部に流動層再生装置４を設置した例を示している。図中、図１と同一の符号を付した部分は同一物を表わしている。尚、図３には、図１に示す酸化装置２と分離装置３の図示をあえて省略してある。
【００５０】
図３に示す循環流動層酸素燃焼ボイラ１Ｂの場合、流動層燃焼炉１Ｂａの内部で燃料を燃焼させることによって発生する排ガスは、第二過熱器１１を通過し、サイクロン等の分離器２１で流動媒体の粉塵が分離除去された後、第一過熱器１０、節炭器１３、予熱器１４を通過し、排ガス脱塵装置１５で煤塵が更に取り除かれる。該排ガス脱塵装置１５で煤塵が取り除かれた排ガスは、前記予熱器１４を再度通過し、再循環ライン１６により流動層燃焼炉１Ｂａの底部に形成された風箱１Ｂｆに供給される。前記排ガス脱塵装置１５で脱塵された後の排ガスの一部は、原料ガスライン１９により酸化装置２（図１参照）の底部に金属酸化物の酸化反応用の原料ガスを兼ねる流動用ガスとして導入されると共に、流動層用ガスライン２０により流動層再生装置４の底部の風箱４ｗ（図１参照）に金属酸化物の流動層用ガスとして導入される。尚、前記サイクロン等の分離器２１で排ガスから分離除去された流動媒体の粉塵は、Ｊバルブと称されるシール装置２２から連絡管２３を介して流動層燃焼炉１Ｂａの底部へ戻される。
【００５１】
前記流動層再生装置４で生成された酸素は、酸素導出ライン１７から抜き出されて第三過熱器１２を通過し、酸素脱塵装置１８で脱塵される。該酸素脱塵装置１８で脱塵された酸素は、前記排ガス脱塵装置１５で脱塵された後の排ガスと混合され、該排ガスと一緒に予熱器１４で予熱され、再循環ライン１６により前記風箱１Ｂｆに供給される。
【００５２】
一方、流動層燃焼炉１Ｂａの炉壁として形成された水管１Ｂｃの内部を流通する水は、燃料の燃焼熱によって加熱され、汽水分離ドラム１Ｂｄで水蒸気が分離される。該汽水分離ドラム１Ｂｄで分離された水蒸気は、蒸気ライン１Ｂｅを流れて第三過熱器１２、第一過熱器１０、第二過熱器１１で過熱され、高温の過熱蒸気となり、発電や熱供給用として利用される。
【００５３】
図３に示す例のように構成すると、酸素燃焼ボイラ１として既設の循環流動層酸素燃焼ボイラ１Ｂを用いた改造のみで酸素燃焼ボイラ設備を構築することができ、該酸素燃焼ボイラ設備は、酸素燃焼による排ガスを直接利用して酸素と合成ガスを生成し、効率を改善し得るものとなり、非常に有効となる。
【００５４】
尚、本発明の酸素燃焼ボイラ設備は、上述の実施例にのみ限定されるものではなく、本発明の要旨を逸脱しない範囲内において種々変更を加え得ることは勿論である。
【符号の説明】
【００５５】
１        酸素燃焼ボイラ
１ａ      火炉
１Ａ      微粉炭焚酸素燃焼ボイラ
１Ａａ    火炉
１Ｂ      循環流動層酸素燃焼ボイラ
１Ｂａ    流動層燃焼炉
２        酸化装置
３        分離装置
４        流動層再生装置
５        管路
８        熱交換器
【図１】
0006515657.tif 000002
【図２】
0006515657.tif 000003
【図３】
0006515657.tif 000004